(57)【要約】【課題】  客先で顧客がイメージするデザインを容易に作成することができる表示システムを得る。【解決手段】  インターネット１６上にサーバ１３を配置し、そのサーバ１３には、携帯電話機１２で表示装置１０に表示させる文章やイラスト等を作成するためのプログラムを設けるとともに、画データを格納したデータベース１４を接続し、携帯電話機１２には携帯電話網１７、インターネット１６経由でサーバ１３にアクセスできる機能を設け、さらに表示装置１０には携帯電話機１２との間で双方通信可能な機能を設けるとともに、その通信機能によって携帯電話機１２から送信された文章データ及び画データを発光表示する機能を設ける。【選択図】      図１
2005275295.tif 000002
【特許請求の範囲】
【請求項１】
文字やイラスト等を発光表示するための表示システムであって、
携帯端末との間で赤外線又はブルートゥース規格による無線通信を行い、前記携帯端末から送信された表示データに基づいて文字やイラスト等の発光表示を行う表示装置と、
ネットワークに接続され、前記携帯端末で表示データの作成を可能とするプログラムを前記携帯端末に送信する一方、前記携帯端末で作成された表示データを前記表示装置で使用できる形式のデータに変換して前記携帯端末に送信するサーバと、
携帯電話網を介して前記ネットワークに接続する機能を有し、前記サーバと通信を行い、前記サーバから与えられたプログラムを用いて作成し、更に前記サーバにてデータ変換された表示データを赤外線又はブルートゥース規格による無線通信により前記表示装置に送信する機能を有する携帯端末と、
を具備することを特徴とする表示システム。
【請求項２】
文字やイラスト等を発光表示するための表示システムであって、
携帯端末との間で赤外線又はブルートゥース規格による無線通信を行い、前記携帯端末から送信された文章データや画データに基づいて文字やイラストの発光表示を行う表示装置と、
ネットワークに接続され、前記携帯端末で文章の作成を可能にすると共に、業種ごとの画データの選択を可能にするプログラムを前記携帯端末に送信する一方、前記携帯端末で作成された文章と前記携帯端末で選択された画データを前記表示装置で使用できる形式のデータに変換して前記携帯端末に送信するサーバと、
前記サーバに接続され、業種ごとの画データを蓄積したデータベースと、
携帯電話網を介して前記ネットワークに接続する機能を有し、前記サーバと通信を行い、前記サーバから与えられたプログラムに従ってユーザが作成し、更に前記サーバにてデータ変換された文章と前記サーバから与えられたプログラムに従って前記ユーザが選択し、更に前記サーバにてデータ変換された画データを赤外線又はブルートゥース規格による無線通信により前記表示装置に送信する機能を有する携帯端末と、
を具備することを特徴とする表示システム。
【請求項３】
前記サーバは、前記携帯端末に前記プログラムを送信した後、少なくとも文章作成と画データの２つの項目を選択可能なメニュー画面を送信し、前記携帯端末にてユーザが前記文章作成を選択した場合には文章作成画面を前記携帯端末に送信し、前記ユーザが前記画データを選択した場合には業種選択画面を前記携帯端末に送信し、前記文章作成画面で前記ユーザによって作成された文章を前記表示装置で使用できるデータ形式に変換して前記携帯端末に送信し、前記業種選択画面で前記ユーザによって選択された業種の画データを前記データベースから取得して前記携帯端末に送信し、前記画データを前記携帯端末に送信した後、前記携帯端末のユーザが前記画データを決定すると、その画データを前記表示装置で使用できるデータ形式に変換して前記携帯端末に送信することを特徴とする請求項２に記載の表示システム。
【請求項４】
前記携帯端末は、表示部を有し、ユーザが作成した文章と前記サーバから送信された画データを前記表示部に表示することを特徴とする請求項２又は請求項３のいずれかに記載の表示システム。
【請求項５】
文字やイラスト等を発光表示する表示装置であって、
複数の発光素子が縦横に配置された表示手段と、
赤外線又はブルートゥース規格による無線通信を行う無線通信手段と、
前記無線通信手段で受信された表示データに基づいて前記表示手段の各発光素子を点灯制御して文字やイラスト等を発光表示させる制御手段と、
を具備することを特徴とする表示装置。
【請求項６】
業種ごとの画データを蓄積したデータベースが接続され、表示装置で文字やイラスト等を表示するための文章データと画データを、ネットワーク経由で携帯端末に与えるサーバのコンピュータにより実行されるプログラムであって、
前記携帯端末で文章の作成を可能にすると共に、業種ごとの画データの選択を可能とするプログラムを前記携帯端末に与える第１ステップと、
前記携帯端末に前記プログラムを与えた後、少なくとも文章作成と画データの２つの項目を選択可能なメニュー画面を前記携帯端末に与える第２ステップと、
前記携帯端末にて前記文章作成が選択された場合には文章作成画面を前記携帯端末に与え、前記画データが選択された場合には業種選択画面を前記携帯端末に与える第３ステップと、
前記携帯端末に与えた前記文章作成画面で作成された文章を前記表示装置で使用できるデータ形式に変換して前記携帯端末に与え、前記業種選択画面で選択された業種の画データを前記データベースから取得して前記携帯端末に与える第４ステップと、
前記携帯端末に前記画データを与えた後、前記携帯端末で前記画データが決定されると、その画データを前記表示装置で使用できるデータ形式に変換して前記携帯端末に与える第５ステップと、
を実行させることを特徴とするプログラム。
【請求項７】
表示装置に文字を表示するための文章のユーザによる作成を可能とすると共に、前記表示装置にイラスト等を表示するための画データをネットワーク経由でサーバから取得する携帯端末のコンピュータにより実行されるプログラムであって、
前記サーバから与えられる少なくとも文章作成と画データの２つの項目を選択可能なメニュー画面を前記携帯端末の表示部に表示する第１ステップと、
前記メニュー画面でユーザが前記文章作成を選択した場合には文章作成コマンドを前記サーバに送り、前記メニュー画面で前記ユーザが前記画データを選択した場合には画データ要求コマンドを前記サーバに送る第２ステップと、
前記文章作成コマンドを前記サーバに送ることで前記サーバから文章作成画面が与えられると、その文章作成画面を前記携帯端末の表示部に表示し、前記画データ要求コマンドを送ることで前記サーバから業種選択画面が与えられると、その業種選択画面を前記携帯端末の表示部に表示する第３ステップと、
前記文章作成画面で前記ユーザが文章を作成した場合は、作成された文章を前記サーバに送り、前記業種選択画面で前記ユーザが所望の業種を選択した場合は、選択された業種の画データを要求する業種コマンドを前記サーバに送る第４ステップと、
前記文章を前記サーバに送ることで、前記サーバから前記表示装置で使用できるデータ形式に変換された文章データが与えられると、その文章データを無線通信により前記表示装置に送る第５ステップと、
前記ユーザが選択した業種の画データを要求する業種コマンドを前記サーバに送ることで、前記サーバから該当する業種の画データが与えられると、その画データを前記携帯端末の表示部に表示する第６ステップと、
前記携帯端末の表示部に表示された前記画データが決定された場合に、決定コマンドを前記サーバに送る第７ステップと、
前記決定コマンドを前記サーバに送った後、前記サーバから前記表示装置で使用できるデータ形式に変換された画データが与えられると、その画データを無線通信により前記表示装置に送る第８ステップと、
を実行させることを特徴とするプログラム。
【発明の詳細な説明】
【技術分野】
【０００１】
本発明は、文字やイラスト等を発光表示して営業案内や集客のための宣伝広告を行う表示システム及び該システムに用いる携帯端末並びにサーバに関する。
【背景技術】
【０００２】
従来、複数の発光素子をマトリックス状に配置し、それぞれを点灯制御して、営業案内や集客のための文字やイラスト等を発光表示する表示装置が開発されている（例えば、特許文献１参照）。この表示装置では、専用のソフトウェアを用いてコンピュータで作成した複数種類の表示データがＰＣカード等の記憶媒体を介して供給されるようになっており、ユーザがリモコンを使用して複数の表示データのうちで所望のものを選択することで、選択された表示データに基づいて複数の発光素子夫々を点灯制御して発光表示する。
【０００３】
【特許文献１】特開２００３−３０２９２７号公報（第４頁、第１図）
【発明の開示】
【発明が解決しようとする課題】
【０００４】
ところで、上述した従来の表示装置においては、表示させるデザインの作成に手間がかかるという問題がある。
すなわち、顧客よりデザインの作成要求があると、その要求に応じたデザインを作成し、それを表示データに変換してＰＣカードに記憶させた後、それを顧客の所まで持って行って表示装置に転送する過程を経る必要がある。
【０００５】
また、顧客は、作成されたデザインを表示装置にて表示させる前に確認することができず、このため顧客がイメージするものと異なるデザインに仕上がることがある。このため、顧客のイメージに近いものができあがるまで、顧客との間を何回も往復することがある。なお、ノート型の携帯可能なコンピュータを持参して顧客の所で作成することも可能であるが、作成に時間がかかることから現実的ではない。
【０００６】
本発明は係る事情に鑑みてなされたものであり、客先で顧客がイメージするデザインを容易に作成することができる表示システム及び該システムに用いる表示装置を提供することを目的とする。
【課題を解決するための手段】
【０００７】
上記目的は下記構成又はプログラムにより達成される。
（１）  文字やイラスト等を発光表示するための表示システムであって、携帯端末との間で赤外線又はブルートゥース規格による無線通信を行い、前記携帯端末から送信された表示データに基づいて文字やイラスト等の発光表示を行う表示装置と、ネットワークに接続され、前記携帯端末で表示データの作成を可能とするプログラムを前記携帯端末に送信する一方、前記携帯端末で作成された表示データを前記表示装置で使用できる形式のデータに変換して前記携帯端末に送信するサーバと、携帯電話網を介して前記ネットワークに接続する機能を有し、前記サーバと通信を行い、前記サーバから与えられたプログラムを用いて作成し、更に前記サーバにてデータ変換された表示データを赤外線又はブルートゥース規格による無線通信により前記表示装置に送信する機能を有する携帯端末と、を具備することを特徴とする。
【０００８】
（２）  文字やイラスト等を発光表示するための表示システムであって、携帯端末との間で赤外線又はブルートゥース規格による無線通信を行い、前記携帯端末から送信された文章データや画データに基づいて文字やイラスト等の発光表示を行う表示装置と、ネットワークに接続され、前記携帯端末で文章の作成を可能にすると共に、業種ごとの画データの選択を可能にするプログラムを前記携帯端末に送信する一方、前記携帯端末で作成された文章と前記携帯端末で選択された画データを前記表示装置で使用できる形式のデータに変換して前記携帯端末に送信するサーバと、前記サーバに接続され、業種ごとの画データを蓄積したデータベースと、携帯電話網を介して前記ネットワークに接続する機能を有し、前記サーバと通信を行い、前記サーバから与えられたプログラムに従ってユーザが作成し、更に前記サーバにてデータ変換された文章と前記サーバから与えられたプログラムに従って前記ユーザが選択し、更に前記サーバにてデータ変換された画データを赤外線又はブルートゥース規格による無線通信により前記表示装置に送信する機能を有する携帯端末と、を具備することを特徴とする。
【０００９】
（３）  上記（２）に記載の表示システムにおいて、前記サーバは、前記携帯端末に前記プログラムを送信した後、少なくとも文章作成と画データの２つの項目を選択可能なメニュー画面を送信し、前記携帯端末にてユーザが前記文章作成を選択した場合には文章作成画面を前記携帯端末に送信し、前記ユーザが前記画データを選択した場合には業種選択画面を前記携帯端末に送信し、前記文章作成画面で前記ユーザによって作成された文章を前記表示装置で使用できるデータ形式に変換して前記携帯端末に送信し、前記業種選択画面で前記ユーザによって選択された業種の画データを前記データベースから取得して前記携帯端末に送信し、前記画データを前記携帯端末に送信した後、前記携帯端末のユーザが前記画データを決定すると、その画データを前記表示装置で使用できるデータ形式に変換して前記携帯端末に送信することを特徴とする。
【００１０】
（４）  上記（２）又は（３）のいずれかに記載の表示システムにおいて、前記携帯端末は、表示部を有し、ユーザが作成した文章と前記サーバから送信された画データを前記表示部に表示することを特徴とする。
【００１１】
（５）  文字やイラスト等を発光表示する表示装置であって、複数の発光素子がマトリックス状に配置された表示手段と、赤外線又はブルートゥース規格による無線通信を行う無線通信手段と、前記無線通信手段で受信された表示データに基づいて前記表示手段の各発光素子を点灯制御して文字やイラスト等を発光表示させる制御手段と、を具備することを特徴とする。
【００１２】
（６）  業種ごとの画データを蓄積したデータベースが接続され、表示装置で文字やスライト等を表示するための文章データと画データを、ネットワーク経由で携帯端末に与えるサーバのコンピュータにより実行されるプログラムであって、前記携帯端末で文章の作成を可能にすると共に、業種ごとの画データの選択を可能とするプログラムを前記携帯端末に与える第１ステップと、前記携帯端末に前記プログラムを与えた後、少なくとも文章作成と画データの２つの項目を選択可能なメニュー画面を前記携帯端末に与える第２ステップと、前記携帯端末にて前記文章作成が選択された場合には文章作成画面を前記携帯端末に与え、前記画データが選択された場合には業種選択画面を前記携帯端末に与える第３ステップと、前記携帯端末に与えた前記文章作成画面で作成された文章を前記表示装置で使用できるデータ形式に変換して前記携帯端末に与え、前記業種選択画面で選択された業種の画データを前記データベースから取得して前記携帯端末に与える第４ステップと、前記携帯端末に前記画データを与えた後、前記携帯端末で前記画データが決定されると、その画データを前記表示装置で使用できるデータ形式に変換して前記携帯端末に与える第５ステップと、を実行させることを特徴とする。
【００１３】
（７）  表示装置に文字を表示するための文章のユーザによる作成を可能とすると共に、前記表示装置にイラスト等を表示するための画データをネットワーク経由でサーバから取得する携帯端末のコンピュータにより実行されるプログラムであって、前記サーバから与えられる少なくとも文章作成と画データの２つの項目を選択可能なメニュー画面を前記携帯端末の表示部に表示する第１ステップと、前記メニュー画面でユーザが前記文章作成を選択した場合には文章作成コマンドを前記サーバに送り、前記メニュー画面で前記ユーザが前記画データを選択した場合には画データ要求コマンドを前記サーバに送る第２ステップと、前記文章作成コマンドを前記サーバに送ることで前記サーバから文章作成画面が与えられると、その文章作成画面を前記携帯端末の表示部に表示し、前記画データ要求コマンドを送ることで前記サーバから業種選択画面が与えられると、その業種選択画面を前記携帯端末の表示部に表示する第３ステップと、前記文章作成画面で前記ユーザが文章を作成した場合は、作成された文章を前記サーバに送り、前記業種選択画面で前記ユーザが所望の業種を選択した場合は、選択された業種の画データを要求する業種コマンドを前記サーバに送る第４ステップと、前記文章を前記サーバに送ることで、前記サーバから前記表示装置で使用できるデータ形式に変換された文章データが与えられると、その文章データを無線通信により前記表示装置に送る第５ステップと、前記ユーザが選択した業種の画データを要求する業種コマンドを前記サーバに送ることで、前記サーバから該当する業種の画データが与えられると、その画データを前記携帯端末の表示部に表示する第６ステップと、前記携帯端末の表示部に表示された前記画データが決定された場合に、決定コマンドを前記サーバに送る第７ステップと、前記決定コマンドを前記サーバに送った後、前記サーバから前記表示装置で使用できるデータ形式に変換された画データが与えられると、その画データを無線通信により前記表示装置に送る第８ステップと、を実行させることを特徴とする。
【発明の効果】
【００１４】
上記（１）〜（４）に記載の表示システムでは、携帯端末にて表示装置に表示させる文章を作成できるとともに業種に応じた画データを選択することできる。しかも作成した文章や選択した画データを携帯端末の表示部に表示させるので、表示装置の顧客とともに、顧客の要求に見合ったデザインを行うことができる。また、文章や画データは、サーバが表示装置で使用できる形式のデータに変換するので、携帯端末でその処理を行う必要がない。すなわち、文章を作成する、画データを選択するといった極めて簡単な操作で表示装置に表示させるデータを作成することができる。
【００１５】
上記（５）に記載の表示装置では、携帯端末との間で、赤外線又はブルートゥース規格による無線通信を行えるので、ＰＣカードを用いることなく、携帯端末からの文章データや画データを取得することができる。
【００１６】
上記（６）に記載のプログラムでは、携帯端末にて文章作成を行える文章作成画面を与えるとともに、携帯端末にて業種ごとの画データを選択できる業種選択画面を与えるので、表示装置の顧客とともに、顧客の要求に見合ったデザインを行うことができる。さらに、携帯端末で作成された文章を表示装置で使用できる形式のデータに変換すると共に、携帯端末で選択された画データを表示装置で使用できる形式のデータに変換するので、携帯端末でその処理を行う必要がない。すなわち、文章を作成する、画データを選択するといった極めて簡単な操作で表示装置に表示させるデータを作成することができる。
【００１７】
上記（７）に記載のプログラムでは、サーバから与えられる文章作成画面で文章を作成し、またサーバから与えられる業種選択画面で所望の画データを選択できるので、表示装置の顧客とともに、顧客の要求に見合ったデザインを行うことができる。さらに、作成した文章をサーバに送ることで、表示装置で使用できるデータ形式に変換され、また選択した画データをサーバに送ることで、表示装置で使用できるデータに変換されるので、携帯端末でその処理を行う必要がない。すなわち、文章を作成する、画データを選択するといった極めて簡単な操作で表示装置に表示させるデータを作成することができる。
【発明を実施するための最良の形態】
【００１８】
以下、本発明を実施するための好適な実施の形態について、図面を参照して詳細に説明する。
図１は、本発明の一実施の形態に係る表示システムの全体構成を示すブロック図、図２はその表示システムの表示装置の構成を示すブロック図である。
【００１９】
この実施の形態の表示システムは、営業案内や集客のための文字やイラスト等を発光表示する表示装置１０と、この表示装置１０との間で双方向通信を行い、表示装置１０に表示データを与える携帯電話機１２と、表示装置１０に与えるための表示データを携帯電話機１２に配信するサーバ１３と、サーバ１３に接続され、表示データを蓄積するデータベース１４とを備えて構成される。サーバ１３はインターネット１６に接続されており、携帯電話機１２は携帯電話網１７経由でインターネット１６に接続されるようになっている。サーバ１３は、携帯電話機１２よりアクセスがあると、その携帯電話機１２がサーバ１３との間でデータの送受信ができるプログラムを送信する。そして、携帯電話機１２にプログラムを与えた後、携帯電話機１２との間でＨＴＴＰ(Hyper Text Transfer Protocol)プロトコルを用いてデータの送受信を行う。
【００２０】
携帯電話機１２は、通常の携帯電話機として機能する他に、インターネット１６にアクセスできる機能と、表示装置１０のリモコンとしての機能を有する。携帯電話機１２をリモコンとして機能させた場合、携帯電話網１７、インターネット１６経由でサーバ１３にアクセスすることにより、サーバ１３から与えられるプログラムに従って動作する。そして、サーバ１３との間でデータの送受信を行うときにはＨＴＴＰを用いる。サーバ１３から表示データを取得すると、それを表示装置１０に送信する。データベース１４に格納される表示データには文章データと画データとがある。
【００２１】
表示装置１０は、図２に示すように、複数の発光ダイオード等の発光素子（図示略）をプリント基板上にマトリックス状に配置して構成されたＬＥＤ表示部１００１と、赤外線を利用して通信を行う赤外線送受信機能［又はＢｌｕｅｔｏｏｔｈ(ブルートゥース)規格による無線通信機能］を有し、携帯電話機１２との間で双方向通信を行うリモコン信号送受信部１００２と、プログラム記憶領域１００３Ａと表示データ記憶領域１００３Ｂとが確保され、プログラム記憶領域１００３Ａには表示装置１０の基本的な動作を制御する制御プログラムが格納され、表示データ記憶領域１００３Ｂには表示データが格納されるメモリ部１００３と、装置各部を制御する制御部１００４とを備えて構成される。
【００２２】
制御部１００４は、所謂マイコンと呼ばれるコンピュータであり、メモリ部１００３のプログラム記憶領域１００３Ａに格納されているプログラムに従って動作する。制御部１００４は、リモコン信号送受信部１００２にて携帯電話機１２からの表示データが受信されたときには、受信された表示データをメモリ部１００３の表示データ記憶領域１００３Ｂに格納するとともに、その表示データを基にＬＥＤ表示部１００１の各発光素子を点灯駆動して文字やイラスト等の表示パターンを発光表示する。なお、表示装置１０に操作部を設けて、この操作部を操作することで、表示データに基づく発光表示を行うようにしても良い。すなわち、携帯電話機１２によるリモコン操作の他に、表示装置１０単独での操作を可能にしても良い。
【００２３】
次に、上記構成の表示システムの動作について説明する。
先ず、図３に示す手順を参照して携帯電話機１２とサーバ１３との間における表示データの通信の概略について説明する。また、この説明において、図４で示す携帯電話機１２の概観図を用いることとする。
【００２４】
まず、携帯電話機１２には、選択キー１２０２と、クリアキー１２０３とが備えられており、選択キー１２０２は、例えば以下で説明するメニュー画面における各項目の選択及び決定に使用され、クリアキー１２０３は、例えば選択キー１２０２で選択された項目での処理の終了に使用される。選択キー１２０２における決定操作は、選択キー１２０２の中央部分を押下する。
【００２５】
さて、携帯電話機１２からサーバ１３にアクセスするためには、まず携帯電話機１２からサーバ１３を管理するサービス会社に電話を掛けてサーバ１３に接続要求を出す。要求が受け付けられると、サーバ１３に接続される（ステップＳＴ１）。サーバ１３に接続した後、サーバ１３からプログラムが送信されてくるので、それを受信する（ステップＳＴ２）。また、プログラムの送信に続けてメニュー画面が送信されてくるので、それを受信する（ステップＳＴ３）。携帯電話機１２はプログラムを受信することでそれが起動し、携帯電話機１２の液晶表示部１２０１にメニュー画面（図６（ａ）参照）を表示する。
【００２６】
携帯電話機１２のユーザは、メニュー画面を見て選択キー１２０２を操作して所望の表示データを選択する（ステップＳＴ４）。携帯電話機１２は、ユーザが選択した表示データをサーバ１３に要求し、この要求によりサーバ１３から送信されてくる表示データを受信する（ステップＳＴ５）。この場合、サーバ１３は、携帯電話機１２に送信する表示データを表示装置１０で使用できる形式に変換した後に送信する。携帯電話機１２は、受信した表示データを表示装置１０に送信する（ステップＳＴ６）。
【００２７】
ここで、サーバ１３より送信されてくる表示データには、携帯電話機１２のユーザが作成した文章データを表示装置１０で使用できる形式に変換したものや、サーバ１３のデータベース１４に蓄積された画データを表示装置１０で使用できる形式に変換したものがある。以下、文章データと画データの取得手順及び表示装置１０への送信手順について説明する。
【００２８】
（文章データの取得及び表示装置１０への送信）
図５は、携帯電話機１２とサーバ１３との間における文章データの通信の概略を示すシーケンス図である。また、図６は携帯電話１２の文章作成時における表示画面の遷移を示す図である。
【００２９】
まず、携帯電話機１２にてサーバ１３を管理するサービス会社に電話を掛けて接続要求を出す。この接続要求によりサーバ１３からプログラムが送信される。そのプログラムを携帯電話機１２が受信することで、そのプログラムが携帯電話機１２にて起動する。携帯電話機１２でプログラムが起動した後、引き続きサーバ１３からメニュー画面が送信され、それを携帯電話機１２が受信すると、液晶表示部１２０１にメニュー画面（図６（ａ）参照）を表示する。
【００３０】
携帯電話機１２のユーザが携帯電話機１２の選択キー１２０２を操作してメニュー画面上の「文章作成」のラジオボタンを選択し、この状態で選択キー１２０２の中央部分を押下すると、携帯電話機１２がサーバ１３に文章作成コマンドを送信する。サーバ１３は、この文章作成コマンドを受信すると、携帯電話機１２に文章作成画面データを送信する。携帯電話機１２は、この文章作成画面データを受信すると、液晶表示部１２０１に文章作成画面（図６（ｂ））を表示する。携帯電話機１２のユーザは、この文章作成画面を参照しながら所望の文章を作成する。文章の作成は、携帯電話１２の複数の数値キーからなる数値キー群１２０４を使用する。ここでは、ユーザが図６（ｃ）に示すように「本日定休日」という文章を作成したとする。
【００３１】
文章の作成が終了して、ユーザがクリアボタン１２０３（図４参照）を押下すると、図６（ｄ）に示すように、携帯電話機１２が今作成した文章を大きく表示するとともに、その文章表示エリアの下方に「決定」、「修正」、「メニュー」の３つのラジオボタンを表示する。携帯電話機１２のユーザは、今作成された文章を表示装置１０の顧客に見せることで、顧客より了承を得ると、携帯電話機１２のユーザはその文章を確定するために選択キー１２０２を操作して「決定」を選択し、選択キー１２０２の中央部分を押下する。これにより、携帯電話機１２は、今作成された文書データ即ち「本日定休日」をサーバ１３に送信する。ユーザは、作成した文章を修正するときは「修正」のラジオボタンを押下する。これにより、図６（ｃ）に示す文章作成画面に戻る。また、メニュー画面に戻るときは「メニュー」のラジオボタンを押下する。これにより、図６（ａ）に示すメニュー画面に戻る。
【００３２】
携帯電話機１２から送信された文章データをサーバ１３が受信すると、その文章データを表示装置１０で扱うことができるデータ形式に変換して携帯電話機１２に送信する。その文章データを携帯電話機１２が受信すると、それを赤外線又はブルートゥース規格を用いた無線通信により表示装置１０に送信する。表示装置１０では、携帯電話機１２から送信された文章データを受信することで、それをメモリ部１００３の表示データ記憶領域１００３Ｂに格納するとともにＬＥＤ表示部１００１にて発光表示する。この場合、ＬＥＤ表示部１００１には「本日定休日」と発光表示される。
【００３３】
このように、携帯電話機１２は、サーバ１３から与えられた文章作成画面を液晶表示部１２０１に表示することで、携帯電話機１２のユーザに文章作成を促し、ユーザによって文章が作成されると、それをサーバ１３に送信する。サーバ１３は、携帯電話機１２から送信された文章データを表示装置１０で扱うことができるデータ形式に変換して携帯電話機１２に送信する。携帯電話機１２は、表示装置１０で扱うことができるデータ形式に変換された文章データを受信すると、それを表示装置１０に送信する。これにより、携帯電話機１２で作成された文書が表示装置１０に発光表示される。
【００３４】
（画データの取得及び表示装置１０への送信）
図７は携帯電話機１２とサーバ１３との間における画データの通信の概略を示すシーケンス図、図８は携帯電話機１２のイラスト作成時における表示画面の遷移を示す図である。なお、この説明においては、携帯電話機１２がサーバ１３に接続されていて、携帯電話機１２ではプログラムが起動していて、携帯電話機１２の液晶表示部１２０１にはメニュー画面が表示されているものとする。
【００３５】
さて、携帯電話機１２のユーザが携帯電話機１２の選択キー１２０２を操作してメニュー画面（図８（ａ））上の「画データ」のラジオボタンを選択して選択キー１２０２の中央部分を押下すると、携帯電話機１２は、画データ要求コマンドをサーバ１３に送信する。この画データ要求コマンドをサーバ１３が受信すると、業種選択画面データを携帯電話機１２に送信する。この業種選択画面データを携帯電話機１２が受信すると、携帯電話機１２は、液晶表示部１２０１に業種選択画面（図８（ｂ））を表示する。携帯電話機１２のユーザはこの業種選択画面で所望の業種を選択する。ここでは、「うどん・そば」を選択したとする。
【００３６】
業種の選択が決まった後、携帯電話１２のユーザが選択キー１２０２の中央部分を押下すると、携帯電話１２は、うどん・そばコマンドをサーバ１３に送信する。このうどん・そばコマンドをサーバ１３が受信すると、データベース１４から「うどん・そば」の画データを読み出し、それを携帯電話機１２に送信する。携帯電話機１２は、「うどん・そば」の画データを受信すると、液晶表示部１２０１に「うどん・そば」のイラスト（図８（ｃ））を表示する。また、このときイラスト表示エリアの下方に「決定」、「修正」、「メニュー」の３つのラジオボタンを表示する。
【００３７】
携帯電話機１２のユーザは、表示されたイラストを表示装置１０の顧客に見せることで、顧客より了承を得ると、携帯電話機１２のユーザはそのイラストを確定するために選択キー１２０２を操作して「決定」を選択し、選択キー１２０２の中央部分を押下する。これにより、携帯電話機１２は、決定コマンドをサーバ１３に送信する。なお、ユーザは、作成した文章を修正するときは「修正」のラジオボタンを押下する。これにより、図８（ｂ）に示す業種選択画面に戻る。また、メニュー画面に戻るときは「メニュー」のラジオボタンを押下する。これにより、図８（ａ）に示すメニュー画面に戻る。
【００３８】
携帯電話機１２から送信された決定コマンドをサーバ１３が受信すると、サーバ１３は「うどん・そば」を示す画データを表示装置１０で扱うことができるデータ形式に変換して携帯電話機１２に送信する。表示装置１０が扱うことができるデータ形式に変換された画データを携帯電話機１２が受信すると、携帯電話機１２は、その画データを赤外線又はブルートゥース規格を用いた無線通信により表示装置１０に送信する。表示装置１０では、受信した画データをメモリ部１００３の表示データ記憶領域１００３Ｂに格納するとともに、ＬＥＤ表示部１００１にて発光表示する。すなわち、「丼茶碗を示すシンボル」が発光表示される。この「丼茶碗を示すシンボル」の上方には、先に作成された文章（うどん・そば）が表示される。
【００３９】
このように、携帯電話機１２は、サーバ１３から与えられた業種選択画面を液晶表示部１２０１に表示することで、携帯電話機１２のユーザに業種選択を促し、ユーザによって業種が選択されると、その業種のコマンドをサーバ１３に送信する。サーバ１３は、携帯電話機１２のユーザが選択した業種のコマンドから、それに適合する画データをデータベース１４から読み出して携帯電話機１２に送信する。携帯電話機１２のユーザは、サーバ１３から送信された画データを表示装置１０の顧客に見せて了承が得られると、それを決定するコマンドをサーバ１３に送信する。サーバ１３は、携帯電話機１２からの決定コマンドを受信すると、決定された画データを表示装置１０で扱うことができるデータ形式に変換して携帯電話機１２に送信する。携帯電話機１２は、表示装置１０で扱うことができるデータ形式に変換された画データを受信すると、それを表示装置１０に与える。これにより、携帯電話機１２で選択された画データが表示装置１０に表示される。
なお、上記の実施の形態では、携帯電話機１２のユーザと表示装置１０の顧客とが別人であるように表現したが、勿論、同一人であっても構わない。
【００４０】
このように、本実施の形態の表示システムによれば、インターネット上にサーバ１３を配置し、そのサーバ１３には、携帯電話機１２で表示装置１０に表示させる文章やイラスト等を作成するためのプログラムを設けるとともに、業種毎の画データを格納したデータベース１４を接続し、携帯電話機１２には携帯電話網１７、インターネット１６経由でサーバ１３にアスできる機能を設け、さらに表示装置１０には携帯電話機１２との間で双方通信可能な機能を設けるとともに、その通信機能によって携帯電話機１２から送信された文章データや画データを発光表示する機能を設け、携帯電話機１２がサーバ１３にアクセスしてくることで、サーバ１３が、文章の作成と業種の選択を可能とするプログラムを携帯電話機１２に送信するとともにメニュー画面を送信し、携帯電話機１２のユーザがメニュー画面で文章作成を選択して所望の文章を作成することで、サーバ１３が携帯電話機１２のユーザによって作成された文章を表示装置１０で表示可能なデータ形式に変換して携帯電話機１２に送信し、また携帯電話機１２のユーザがメニュー画面で画データを選択することで、サーバ１３が携帯電話機１２に業種選択画面を送信し、携帯電話機１２のユーザがその業種選択画面から所望の業種を選択することで、サーバ１３がその業種に関係する画データを携帯電話機１２に送信し、携帯電話機１２のユーザが画データを確認すると、サーバ１３が携帯電話機１２のユーザによって確認された画データを表示装置１０で表示可能なデータ形式に変換して携帯電話機１２に送信し、携帯電話機１２が表示装置１０で表示可能なデータ形式に変換された文章データと画データとを受信することで、これらのデータを表示装置１０に送信する。これにより、表示装置１０には、携帯電話機１２のユーザによって作成された文章と当該ユーザが選択した業種のイラスト等とが表示装置１０にて発光表示される。
【００４１】
したがって、携帯電話機１２にて、表示装置１０に表示させる文章を作成できるとともに、サーバ１３に接続されたデータベース１４から業種に応じたシンボルのイラスト等を取得し、作成した文章と取得した業種に応じたシンボルのイラスト等を表示装置１０にて発光表示させることができるので、客先で顧客がイメージするデザインを容易に作成することが可能となる。
【００４２】
なお、上記実施の形態では、サーバ１３から表示データや画データを取得するものとして、携帯電話機１２を用いたが、サーバ１３に接続できる機能と、サーバ１３から与えられるプログラムを実行できる機能と、表示装置１０と赤外線又はブルートゥース規格を用いた無線通信を行える機能とを備えるものであって、小型で携帯性のある電子機器であれば、どのようなものであっても構わない。例えば、ＰＤＡ（Personal Digital Assistant）やＰＨＳ(Personal Handy-Phone system)などが挙げられる。
【００４３】
また、上記の実施の形態では、画データは業種に応じたシンボルのイラスト等を表示装置１０にて発光表示するものとしたが、このようなシンボルに限らず、自由なイラスト等を表示させることができる。要は、顧客サイドでは容易に作成できなかった種々の画データがデータベース化されていれば、顧客はこれらの画データを選択するだけで、バラエティな表現を簡単に発光表示させて、イメージ向上を図ることができる。
【産業上の利用可能性】
【００４４】
文字や画を発光表示して営業案内や集客のための宣伝広告を行う表示装置への適用が可能である。
【図面の簡単な説明】
【００４５】
【図１】本発明の一実施の形態に係る表示システムの全体構成を示すブロック図である。
【図２】図１の表示装置の概略構成を示すブロック図である。
【図３】図１の携帯電話とサーバとの間における表示データの通信の概略を説明するためのフローチャートである。
【図４】図１の携帯電話の正面図である。
【図５】図１の携帯電話とサーバとの間における文章データの通信の概略を示すシーケンス図である。
【図６】図１の携帯電話の文章作成時における表示画面の遷移を示す図である。
【図７】図１の携帯電話とサーバとの間における画データの通信の概略を示すシーケンス図である。
【図８】図１の携帯電話の画作成時における表示画面の遷移を示す図である。
【符号の説明】
【００４６】
１０  表示装置
１２  携帯電話機
１３  サーバ
１４  データベース
１６  インターネット
１７  携帯電話網
１００１  ＬＥＤ表示部
１００２  リモコン信号送受信部
１００３  メモリ部
１００３Ａ  制御プログラム記憶領域
１００３Ｂ  表示データ記憶領域
１００４  制御部
１２０１  液晶表示部
１２０２  選択キー
１２０３  クリアキー
１２０４  数値キー
【図１】
2005275295.tif 000003
【図２】
2005275295.tif 000004
【図３】
2005275295.tif 000005
【図４】
2005275295.tif 000006
【図５】
2005275295.tif 000007
【図６】
2005275295.tif 000008
【図７】
2005275295.tif 000009
【図８】
2005275295.tif 000010